(57)【要約】【課題】従来のスリット状にあるシール部の密閉不完全な問題や、シール開閉機構等の構造が複雑で安価に提供できないという問題を解決し、簡単な構成で軸筒内部の先端部の密閉状態を確実にしたキャップレス筆記具を提供可能とする。【解決手段】軸筒内に筆記体を配置して、軸筒の先端開口より筆記体のペン先部が出入自在に構成されるキャップレス筆記具に於いて、軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに先端開口を閉塞する閉塞部を有し、閉塞部には常時スリットを閉じる側に向かう弾性体が設けられてなる。【選択図】　　　　　図２
2004098537.tif 000002
【特許請求の範囲】
【請求項１】
軸筒内に筆記体を配置して、軸筒の先端開口より筆記体のペン先部が出入自在に構成されるキャップレス筆記具に於いて、
前記軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに先端開口を閉塞する閉塞部を有し、閉塞部には常時スリットを閉じる側に向かう弾性体が設けられてなることを特徴とするキャップレス筆記具。
【請求項２】
閉塞部の外周部または内周部に沿って薄肉板状バネの弾性体が配設され、該弾性体は、ペン先部が突出した時に閉塞部の変形に略倣って変形する弾性片が形成されると共に、閉塞部の外周部または内周部に適宜押圧力を付加して常時スリットを閉じた状態に保持してなる請求項１に記載のキャップレス筆記具。
【発明の詳細な説明】
【０００１】
【発明の属する技術分野】
本発明は、キャップレスの筆記具に関し、特に、乾燥防止機構を有するキャップレス筆記具に関する。
【０００２】
【従来の技術】
従来、水性や油性のマーキングペン、水性ボールペンや万年筆などの筆記具においては、筆記部の先端のインクが乾燥して筆記できなくなることを防止するために、先端部を密閉するためのキャップを備えるものが一般に用いられている。また、上記のようにキャップを備えた筆記具の場合には、頻繁に使用する際に、使用するたびにキャップを着脱する必要があり面倒であることから、別体のキャップを不要とした、いわゆるキャップレスの筆記具が数多く提案されている。
【０００３】
しかしながら、キャップレスの筆記具の場合、別体のキャップの代わりに狭い筆記体内部に先端部を密閉するための密閉機構を構成する必要があり、従来の方式によると密閉機構が複雑となり、構成部品の部品点数が多くなることで、組立て作業が複雑となり、さらに、生産コストが高くなるという問題点があった。
【０００４】
そこで、筆記部先端を密閉する方法として、実開昭４９−３２７３１号公報（以下、従来例１と称する。）に開示されているように、筆記具の軸筒内部の先端部に中央から外側に向かい切り込みを入れた弁板を組み込み、その切り込み部分より筆記部先端を突出するようにした方式や、実開昭４９−１０７４２１号公報（以下、従来例２と称する。）に開示されているように、筆記具の軸筒内部の基端部及び先端部にパッキンを設けて軸筒内部を密閉するとともに、先端部の対向当接させたパッキンの当接部より筆記部先端を突出するようにした方式や、実開昭６３−２３０８４号公報（以下、従来例３と称する。）に開示されているように、キャップ本体の前方に開口部を有する弾性自閉体を設けて、軸筒先端部のペン先部を突出するようにしたものが提案されている。
【０００５】
また、その他の方法として、特開平１−２８１９９９号公報（以下、従来例４と称する。）に開示されているように、筆記具の軸筒内部の先端部に形成され、筆記部のペン先部が収容されるシール室の先端側を開閉自在とするシール手段を備え、該ペン先部が先端部より突出する時に、シール室の先端側を開放するようにした方式や、実開昭５８−８９３９４号公報（以下、従来例５と称する。）に開示されているように、筆記具の軸筒内の先端部に配置される先軸先端部にペン先部を密閉する密閉部材が密嵌固定されて、先軸の動作に伴い密嵌部材の先端部が開閉するようにした方法が提案されている。
【０００６】
しかしながら、前記従来例１、２、３のような方式によると、ペン先が突出するシール部にはすでに開口部が形成されているため密閉性に問題がある。また、従来例４のような方式によると、シール室やシール開閉機構など構造が複雑になるという問題があり、同様に、従来例５のような方式においても、別部品でシール室を構成して開口機構を設けるなど構造が複雑になるという問題がある。
【０００７】
【発明が解決しようとする課題】
本発明は、上記従来の問題点に鑑みてなされたものであり、簡単な構成で軸筒内部の先端部の密閉状態を確実にしたキャップレス筆記具を提供することを目的とするものである。
【０００８】
【課題を解決するための手段】
本発明は、上記課題を達成する為に以下の構成を有する。
請求項１に記載の発明に係るキャップレス筆記具は、軸筒内に筆記体を配置して、軸筒の先端開口より筆記体のペン先部が出入自在に構成されるキャップレス筆記具に於いて、前記軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに先端開口を閉塞する閉塞部を有し、閉塞部には常時スリットを閉じる側に向かう弾性体が設けられてなることを特徴とする。
【０００９】
請求項２に記載の発明に係るキャップレス筆記具は、請求項１に記載のキャップレス筆記具に於いて、閉塞部の外周部または内周部に沿って薄肉板状バネの弾性体が配設され、該弾性体は、ペン先部が突出した時に閉塞部の変形に略倣って変形する弾性片が形成されると共に、閉塞部の外周部または内周部に適宜押圧力を付加して常時スリットを閉じた状態に保持してなる。
【００１０】
【発明の実施の形態】
以下、本発明の実施の形態を図面に基づいて説明する。
図１乃至図４は発明の実施の形態を示す一例である。
図１は本発明の実施形態に係るキャップレス筆記具の全体の構成を示す断面図、図２は本実施形態に係るインナーキャップを示す断面図、図３はインナーキャップ閉塞部の外周部に配設する薄肉板状バネの弾性体を正面から見た図である。図４はインナーキャップ閉塞部の内周部に配設する薄肉板状バネの弾性体を正面から見た図である。
【００１１】
先ず、キャップレス筆記具１は、図１に示すように軸筒２内に筆記体５を配置して、該軸筒２の先端部３に形成された開口部４より筆記体５のペン先部６を突出自在となるように構成したものである。
前記筆記体５は、軸筒２内の前側の内周に沿って配置されたコイルスプリング７によって後部方向に付勢されると共に後方に保持されている。また、筆記体５には、ペン先部６を突出させるためのノック部１１が軸筒後端部１２より突出して設けられており、ノック部１１を前進することで係止機構部１０によってペン先部６を開口部４から出没状態に係止する。すなわち、係止機構部１０は、軸筒２の後部に設けられてペン先部６を開口部４から出没状態に係止する。
【００１２】
なお、係止機構部は、図示した形態に限らず様々のものが知られており、その構成は本発明の要旨ではないので説明は省略する。また、ノック部は筆記体の後端に別体で配設される場合もある。
【００１３】
図１に示されるように、軸筒２内の先端部３には、先端方向にアーチ状に突出形成された閉塞部２１を有するインナーキャップ２０が固定されている。インナーキャップ２０は、その後端内孔にホルダー３１が嵌着され、閉塞部２１の外周部に設けられた鍔部２２が先端部３内孔面に設けられた前段部３ａに略当接し、ホルダー３１の鍔部３３の前端が前段部３ａの後方に設けられた後段部３ｂに当接すると共にホルダー３１によって先端部３内孔に位置決め固定される。
【００１４】
また、前記インナーキャップ２０は、ゴム材や弾性樹脂で形成され、アーチ状（ドーム状）の閉塞部２１の外周部に適宜に膨出した鍔部２２が形成され、さらに鍔部２２の後方に筒部２３が形成されている。また、閉塞部２１には、前記鍔部２２と閉塞部２１の略中心を通る直径上のスリット２４が十文字状に形成されている。また、そのインナーキャップの筒部内孔に、ホルダー３１の前端に設けられた筒部３２が挿着されている。なお、ホルダー３１は、インナーキャップ２０を軸筒内に固定するためのもので、例えば、筒部３２を設けず、円盤状の鍔部のみで固定することもできる。
【００１５】
なお、スリットの数は限定されないが、効果的に閉塞面を後方に戻すには、閉塞部の中心を通る一文字状、十文字状、中心から放射状に３本〜６本程度に設けられる。
【００１６】
閉塞部の外周部または内周部に沿って金属製あるいは合成樹脂製の薄肉板状バネよりなる弾性体が配設される。また、弾性体は、ペン先部が突出した時に閉塞部の変形に略倣って変形する弾性片が形成されている。また、弾性片は、閉塞部の外周部または内周部に適宜押圧力を付加して常時スリットを閉じた状態に保持する。
【００１７】
図３は、インナーキャップ２０の閉塞部２１の外周部２５に沿って配設される弾性体２７を示しており、弾性体２７には中心向かって延びた４箇所の弾性片２７ａが形成されている。また、閉塞部２１には十文字状のスリット２４が形成されている。この場合、スリット２４からペン先部が突出した時に、閉塞部２１は４箇所の片部となって外側にめくれるように変形する。そのため、それぞれの弾性片２７ａはそれぞれの閉塞部の片部に沿って独立して略密接した状態に設けられ、ペン先部が突出した時には、閉塞部の４箇所の片部の変形に倣って変形し、常時は、適宜押圧力を付加してスリットを閉じた状態に保持可能とする。
無論、スリット数が変わっても、閉塞部の片部に対応して、弾性体の弾性片が設定される。
【００１８】
図４は、インナーキャップ２０の閉塞部２１の外周部２６に沿って配設される弾性体２８を示しており、やはり弾性体２８には中心向かって延びた４箇所の弾性片２８ａが形成されている。
基本的機能は、上記インナーキャップ２０の閉塞部２１の外周部２５に沿って配設される弾性体２７と同じである。
【００１９】
ところで、インナーキャップ２０の材質としては、ゴム材または弾性樹脂材からなる材質であれば、特に限定されず、
例えば、エチレンプロピレンゴム（ＥＰＤＭ）、ブチルゴム（ＩＩＲ）、シリコーンゴム（Ｑ）、クロロブレンゴム（ＣＲ）、アクリロニトリルブタジエンゴム（ＮＢＲ）、ウレタンゴム（Ｕ）、フッ素ゴム（ＦＫＭ）、クロロスルホン化ゴポリエチレンゴム（ＣＳＭ）、エビクロロヒドリンゴム、多硫化ゴム、オレフィン系熱可塑性エラストマー、その他上記各ゴム同士のブレンド品、上記各ゴムと樹脂材とのブレンド品などが挙げられる。
また、インク溶剤に対して非透過性に優れたゴム材等を使用することが望ましく、必要によって非透過性に優れた皮膜を設けることによって、インナーキャップ２０先端側からのインク溶剤の揮発をさらに防止することが可能となる。
【００２０】
次に、本実施形態に係るキャップレス筆記具の作動を説明する。
まず、キャップレス筆記具１を使用しない場合は、軸筒２の内部に筆記体５とともにペン先部６も収容されている。
【００２１】
前記キャップレス筆記具１を使用する場合、軸筒２を握り、筆記体５の後端部に形成されたノック部１１をコイルスプリング７のばね力に抗して先端方向へ押し込むことにより筆記体５が前進する。
また、係止機構部１０の前端に設けられた係止部１０ａが軸筒２に穿設された窓部を貫通して設けられ、筆記体後方でノック部１１の前端外周部に設けられた係止段部１１ａに係合して筆記体５が前進した状態に係止される。
【００２２】
そのとき、ペン先部６は、インナーキャップ２０の閉塞部２１のスリット２４を押し開き、軸筒２の先端部３の開口部４より突出した状態となる。
また、その状態で、係止機構部の係止状態を解除すると、コイルスプリング７のばね力により筆記体５は再び軸筒内に収容される。
【００２３】
またその際、インナーキャップ２０に於いて、スリット２４からペン先部６が軸筒２内に後退すると、閉塞部２１の変形した片部が弾性体の弾性片の押圧によって、片部が弾性片に倣って復元され、スリット２４は密着した状態となる。
したがって、キャップレス筆記具１を使用しない状態では、スリット２４からのインクの揮発を最小限に止めることができる。
【００２４】
【作用】
本発明によれば、以下のような作用が得られる。
すなわち、軸筒内に筆記体を配置して、該軸筒の先端開口より筆記体のペン先部が出入自在に構成されるキャップレス筆記具に於いて、
インナーキャップは、軸筒軸心方向に沿ったペン先部出側に、ペン先部が出入自在のスリットが形成されるとともに先端開口を閉塞する閉塞部を有し、閉塞部の外周部または内周部に沿って薄肉板状バネの弾性体が配設され、ペン先部が突出した時に、閉塞部の片部が外側にめくれるように変形するが、弾性体に形成されたそれぞれの弾性片はそれぞれの閉塞部の片部に沿って独立して略密接した状態に設けられるので、ペン先部が突出した時には、閉塞部の４箇所の片部の変形に倣って変形し、ペン先部が軸筒内に後退する時には、閉塞部の変形した片部が弾性体の弾性片に倣って復元され、常時スリットを閉じた状態に保持して、軸筒内のペン先部近傍の密閉状態を確実にすることができる。
【００２５】
【発明の効果】
以上説明したように、従来のスリット状にあるシール部の密閉不完全な問題や、シール開閉機構などの構造が複雑で安価に提供できないという問題が解決可能となる。
本発明のキャップレス筆記具によれば、閉塞部の外周部または内周部に沿って薄肉板状バネの弾性体が配設されることによって、閉塞部の外周部または内周部に適宜押圧力を付加して常時スリットを閉じた状態に保持できるので、簡単な構成で軸筒内部の先端部を密閉でき、ペン先部の密閉状態を確実にすることが可能となり、長期保存性に優れたキャップレス筆記具が安価に提供可能となる。
【図面の簡単な説明】
【図１】本発明の実施形態の一例であるキャップレス筆記具の全体の構成を示す断面図である。
【図２】本発明の実施形態に係るインナーキャップを示す断面図。
【図３】インナーキャップの外周部に配設される場合の弾性体の正面図。
【図４】インナーキャップの内周部に配設される場合の弾性体の正面図。
【符号の説明】
１　　　キャップレス筆記具
２　　　軸筒
３　　　先端部
４　　　開口部
５　　　筆記体
６　　　　ペン先部
７　　　コイルスプリング
１０　　係止機構部
１０ａ　係止部
１１　　ノック部
１１ａ　係止段部
１２　　軸筒後端部
２０　　インナーキャップ
２１　　閉塞部
２２　　鍔部
２３　　筒部
２４　　スリット
２５　　外周部
２６　　内周部
２７　　弾性体
２７ａ　弾性片
２８　　弾性体
２８ａ　弾性片
【図１】
2004098537.tif 000003
【図２】
2004098537.tif 000004
【図３】
2004098537.tif 000005
【図４】
2004098537.tif 000006